(57)【要約】【課題】  本発明の技術的な課題は、ノズルヘッド付き注出容器において、実際にノズルヘッドを押し下げて内容液を注出したかどうかを判定できるようなバージン機能を創出することにある。【解決手段】  内容液を収納する容器本体の上端部に上方付勢された状態で起立設されるステムの上端部に嵌合したノズルヘッドの下降変位により前記ステムを下降変位させて内容液を注出する注出容器において、ノズルヘッドの側周部に複数の連結小片を介して外鍔状に外鍔片を一体連設し、前記ノズルヘッドのステムへの嵌合状態で、外鍔片が容器本体若しくは容器本体の上端部に組み付き固定される部材に上方から当接すると共に、連結小片の破断により外鍔片を切り離した状態で、ノズルヘッドの下降変位が可能に構成する。【選択図】  図１
2008137681.tif 000002
【特許請求の範囲】
【請求項１】
内容液を収納する容器本体の上端部に上方付勢された状態で起立設されるステムの上端部に嵌合したノズルヘッド(21)の下降変位により前記ステムを下降変位させて内容液を注出する注出容器において、ノズルヘッド(21)の側周部に複数の連結小片(26)を介して外鍔状に外鍔片(27)を一体連設し、前記ノズルヘッド(21)のステムへの嵌合状態で、前記外鍔片(27)が容器本体若しくは該容器本体の上端部に組み付き固定される部材に上方から当接すると共に、前記連結小片(26)の破断により前記外鍔片(27)を切り離した状態で、前記ノズルヘッド(21)の下降変位が可能に構成したノズルヘッド付き注出容器。
【請求項２】
容器本体をエアゾール容器(1)とし、該エアゾール容器(1)の上端部に配設されるステム(2)にノズルヘッド(21)を嵌合組み付けした請求項１記載のノズルヘッド付き注出容器。
【請求項３】
容器本体を壜体(11)とし、該壜体(11)の口筒部(12)に手動押下げポンプ(13)を組み付け固定し、該ポンプ(13)の上端部に配設されるステム(13a)にノズルヘッド(21)を嵌合組み付けした請求項１記載のノズルヘッド付き注出容器。
【請求項４】
組付けキャップ(14)によりポンプ(13)を口筒部(12)に組み付け固定し、外鍔片(27)が前記組付けキャップ(14)の上端部に起立設したガイド筒(16)上端面に当接する構成とした請求項３記載のノズルヘッド付き注出容器。
【請求項５】
ノズルヘッド(21)の押下げに伴なう力の作用により、連結小片(26)を破断する構成とした請求項１、２、３または４記載のノズルヘッド付き注出容器。
【請求項６】
外鍔片(27)の一端を上方に立ち上げて摘み片(28)を形成し、該摘み片(28)を引張って連結小片(26)を破断する構成とした請求項１、２、３または４記載のノズルヘッド付き注出容器。
【発明の詳細な説明】
【技術分野】
【０００１】
本発明は、内容液を収納する容器本体の上端部に上方付勢された状態で起立設されたステムに嵌合したノズルヘッドの下降変位により内容液を注出するノズルヘッド付き注出容器に関する。
【背景技術】
【０００２】
たとえば、特許文献１にはエアゾール容器１のステム２にノズルヘッド２１を取り付けて使用される、ノズルヘッド付き注出容器の構造が示されている。（図４参照）なお、実施例として示される注出容器ではエアゾール容器１の上端部に肩カバー３を嵌合し、この肩カバー３を利用してオーバーキャップ４を被せるようにし、ノズルヘッド２１の誤操作による押し下ができないようにしている。
また、特許文献２には、手動押下げポンプ１３を壜体１１の口筒部１２に、組付けキャップ１４により組み付け固定し、このポンプ１３の上端部に配設されるステム１３ａの上端部にノズルヘッド２１を嵌合した注出容器が記載されている。（図５参照）
【０００３】
これらノズルヘッド２１は同じような構造のものであり、図５を参照して説明すると、有頂筒状であり、頂壁２２、外筒２３、内筒２４を有し、内筒２４の下端部がポンプ１３のステム１３ａの上端部や、エアゾール容器では（図４参照）ステム２の上端部に嵌合する。そしてノズルヘッド２１と共にステム１３ａや、ステム２を押し下げると、内容液が噴出し、内筒２４を介して、内筒２４の上端部に横向きに設けられたノズル２５から注出される。
【特許文献１】特開平１０−１５７７８３号公報
【特許文献１】特開平１０−２９６１４０号公報
【発明の開示】
【発明が解決しようとする課題】
【０００４】
従来、上記したようなノズルヘッド付き注出容器では、たとえば図４に示されるようにノズルヘッド２１部分を外装するようにして、オーバーキャップ４を被せて、さらにこのオーバーキャップ４と、エアゾール容器１や壜体１１等の容器本体を一体にしてシュリンクフィルムで包装したり、オーバーキャップ４の周壁から、肩カバー３（図４参照）や組付けキャップ１４（図５参照）の周壁にかけての部分にラベルを貼付するようにして、その製品が未使用であること、あるいは不正に開放されていないことが確認できる（以下、バージン機能と記載する。）ようにしている。
【０００５】
しかしながら、消費者がシュリンクフィルムやラベルを破断しても内容液を使用しない場合もあり、一旦、使用して長期間保存した場合には内容液の品質低下等の問題もあるので、不正操作を含む、実際の注出操作の有無が確実に判るように、実際にノズルヘッド２１を押し下げて内容液を注出したかどうかを判定できるようなバージン機能の付設が要請されている。
【０００６】
そこで、本発明は上記した要請に対応するものであり、その技術的な課題は
ノズルヘッド付き注出容器において、実際にノズルヘッドを押し下げて内容液を注出したかどうかを判定できるようなバージン機能を創出することにある。
【課題を解決するための手段】
【０００７】
本発明の課題を解決するための手段のうち、請求項１記載の発明の手段は、
内容液を収納する容器本体の上端部に上方付勢された状態で起立設されるステムの上端部に嵌合したノズルヘッドの下降変位により前記ステムを下降変位させて内容液を注出する注出容器において、
ノズルヘッドの側周部に複数の連結小片を介して外鍔状に外鍔片を一体連設すること、
前記ノズルヘッドのステムへの嵌合状態で、外鍔片が容器本体若しくは容器本体の上端部に組み付き固定される部材に上方から当接すると共に、連結小片の破断により外鍔片を切り離した状態で、ノズルヘッドの下降変位が可能に構成すること、
にある。
【０００８】
請求項１記載の上記構成により、ノズルヘッドを押し下げて容器本体から内容液を注出する場合には、連結小片を破断して外鍔片を切り離した状態とする必要があり、連結小片の破断の有無により不正操作を含む、実際の注出操作の有無を確認することができるバージン機能が発揮される。
【０００９】
ここで、請求項１中に記載される「容器本体の上端部に組み付き固定される部材」とは、前述した図４における肩カバー３、図５における組付けキャップ１４等の部材を指すものである。
また、外鍔片はノズルヘッドの側周部の全周に亘って連設してもよいし、全周でなくたとえば半周程度に連設することもでき、どの程度の範囲に亘って連接するかは外観や、当接状態の安定性や、切り離しのし易さ等を考慮して選択することのできるものである。
【００１０】
請求項２記載の発明の手段は、請求項１記載の発明において、容器本体をエアゾール容器とし、このエアゾール容器の上端部に配設されるステムにノズルヘッドを嵌合組み付けすること、にある。
【００１１】
請求項２記載の上記構成は、注出容器の容器本体をエアゾール容器とするものであり、ステムに組み付けたノズルヘッドに係る、不正操作を含む、実際の注出操作の有無を、確実に確認することができる。
【００１２】
請求項３記載の発明の手段は、請求項１記載の発明において、容器本体を壜体とし、この壜体の口筒部に手動押下げポンプを組み付け固定し、このポンプの上端部に配設されるステムにノズルヘッドを嵌合組み付けすること、にある。
【００１３】
請求項３記載の上記構成は、壜体の口筒部に手動押下げポンプを組み付け固定した注出容器に係るものであり、この種ポンプ付き注出容器に組み付けたノズルヘッドに係る、不正操作を含む、実際の注出操作の有無を、確実に確認することができる。
【００１４】
請求項４記載の発明の手段は、請求項３記載の発明において、組付けキャップによりポンプを口筒部に組み付け固定し、外鍔片がこの組付けキャップの上端部に起立設したガイド筒の上端面に当接する構成とすること、にある。
【００１５】
請求項４記載の上記構成により、ポンプ付き注出容器において、組付けキャップのガイド筒の上端面を利用して外鍔片を当接させる構成とすることにより、簡単な構造と操作性を有するバージン機構を構成することが可能となる。
【００１６】
請求項５記載の発明の手段は、請求項１、２、３または４記載の発明において、ノズルヘッドの押下げに伴なう力の作用により、連結小片を破断する構成とすること、にある。
【００１７】
請求項５記載の上記構成により、ノズルヘッドの押下げに伴なって連結小片を破断でき、連結小片の破断のための操作に係る煩わしさをなくすことができる。
【００１８】
請求項６記載の発明の手段は、請求項１、２、３または４記載の発明において、外鍔片の一端を上方に立ち上げて摘み片を形成し、この摘み片を引張って連結小片を破断する構成とすること、にある。
【００１９】
請求項６記載の上記構成により、摘み片を利用して容易に連結小片を破断することができる。
【発明の効果】
【００２０】
本発明は上記した構成となっているので、以下に示す効果を奏する。
請求項１記載の発明にあっては、ノズルヘッド付き注出容器において、連結小片の破断の有無により不正操作を含む、実際の注出操作の有無を確認することができるバージン機能が発揮される。
【００２１】
請求項２記載の発明にあっては、エアゾール容器のステムに組み付けたノズルヘッドに係る不正操作を含む、実際の注出操作の有無を確実に確認することができる。
【００２２】
請求項３記載の発明にあっては、ポンプ付き注出容器に組み付けたノズルヘッドに係る不正操作を含む、実際の注出操作の有無を確実に確認することができる。
【００２３】
請求項４記載の発明にあっては、ポンプ付き注出容器において、組付けキャップのガイド筒の上端面を利用して外鍔片を当接させる構成とすることにより、簡単な構造と操作性を有するバージン機構を構成することができる。
【００２４】
請求項５記載の発明にあっては、ノズルヘッドの押下げに伴なって連結小片を破断するものであり、連結小片の破断のための操作に係る煩わしさをなくすことができる。
【００２５】
請求項６記載の発明にあっては、摘み片を利用して容易に連結小片を破断することができる。
【発明を実施するための最良の形態】
【００２６】
以下、本発明の実施の形態を実施例に沿って図面を参照しながら説明する。
図１は本発明のノズルヘッド付き注出容器の第１実施例を示すもので、図１（ａ）はノズルヘッド２１の平面図、図１（ｂ）は部分的に縦断して示す容器の正面図である。
この、ノズルヘッド付き注出容器は容器本体としてエアゾール容器１を使用し、エアゾール容器１の上端部に上方付勢された状態で起立設されるステム２の上端部にノズルヘッド２１を嵌合組み付けしたものであり、またエアゾール容器１の上端部に肩カバー３を嵌合組み付けしている。
【００２７】
そして、ノズルヘッド２１は全体として、有頂円筒状であり、頂壁２２、円筒状の外筒２３、円筒状の内筒２４を有し、この内筒２４の下端部がステム２の上端部に外嵌状に嵌合組み付きしている。また、上部には横向きにノズル２５が付設されており、内筒２４に連結して内容液の注出流路を形成している。
【００２８】
また、ノズルヘッド２１の側周部に相当する外筒２３に、複数（本実施例では４ケ）の連結小片２６を介して、外鍔状に外鍔片２７を一体連設している。なお本実施例ではこの外鍔片２７は、ノズル２５が配設される正面部分を除いた、中心角度が２７０°の範囲に連設するようにしており、この外鍔片２７は、ノズルヘッド２１をステム２の上端部に嵌合組み付けした状態で、肩カバー３の開口部５の周縁部上端面に当接している（図１（ｂ）参照）。
【００２９】
上記した嵌合状態から、指先をノズルヘッド２１の頂壁２２に当てて押し下げようとすると、上記当接に係る抵抗があり、ここで、誤操作や、不正操作を防ぐことができるが、この抵抗に抗してさらに押下げ力を作用させると、この力の作用によって連結小片２６を破断して外鍔片２７を外筒２３から切り離し、ステム２を押下げて内容液を注出することができる。
【００３０】
次に、図２は本発明のノズルヘッド付き注出容器の第２実施例を示すもので、図２（ａ）はノズルヘッド２１の平面図、図２（ｂ）は容器の側面図である。
この、ノズルヘッド付き注出容器は、外鍔片２７の一端を上方に立ち上げて摘み片２８を形成し、この摘み片２８を引張って連結小片２６を破断する構成としており、この外鍔片２７に係る構成を除いて、他の構成は図１に示される第１実施例のノズルヘッド付き注出容器と同様なものである。
【００３１】
このように摘み片２８を付設することにより、この摘み片２８を指先等で摘んで斜め上方に引っ張ることにより（図２（ｂ）中２点鎖線で示した外鍔片２７と摘み片２８参照）連結小片２６を容易に破断することができる。
なお、ノズルヘッド２１の後部に対応する部分では外鍔片２７の幅を狭くして（図２（ａ）参照）おり、これにより摘み片２８による連結小片２６の破断操作がより容易なものとなる。
【００３２】
次に、図３は本発明のノズルヘッド付き注出容器の第３実施例を示すもので、図３（ａ）はノズルヘッド２１の平面図、図３（ｂ）は部分的に縦断して示す容器の側面図である。
この実施例はポンプ付き注出容器に係るものであり、図５に示されるポンプ付き注出容器において、ノズルヘッド２１の外筒２３に、複数の連結小片２６を介して、外鍔状に外鍔片２７を一体連設したものに相当する。
【００３３】
本実施例のポンプ付き注出容器は手動押下げポンプ１３を壜体１１の口筒部１２に、組付けキャップ１４により組み付け固定し、このポンプ１３のステム１３ａの上端部にノズルヘッド２１を嵌合している。また、組付けキャップ１４の頂壁１５には開口部１５ａが形成されており、この開口部１５ａの周縁近傍からガイド筒１６が起立設している。
なお、組み付けキャップ１４を螺合により口筒部１２へ組み付ける方法もあるが、螺合による方法では不正開放が可能であるので、バージン機能をより確実に発揮せしめるためには本実施例のようにアンダーカット状に組み付け固定することが好ましい。
【００３４】
ノズルヘッド２１は実施例１、２のものと同じような構造のものであり、全体として有頂円筒状で、頂壁２２、円筒状の外筒２３、円筒状の内筒２４を有し、この内筒２４の下端部がポンプ１３のステム１３ａの上端部に外嵌状に嵌合組み付きしている。また、上部には横向きにノズル２５が付設されており、内筒２４に連結して内容液の注出流路を形成している。
【００３５】
また、ノズルヘッド２１の側周部に相当する外筒２３に複数（本実施例では４ケ）の連結小片２６を介して、外鍔状に外鍔片２７を一体連設しており、ノズルヘッド２１をステム１３ａの上端部に嵌合組み付けした状態で、この外鍔片２７は組み付けキャップ１４のガイド筒１６の上端面に当接している。また、この外鍔片２７は、図２に示される第２実施例の外鍔片２７と同様に、一端を上方に立ち上げて摘み片２８を形成したものとしている。
【００３６】
そして、摘み片２８を引っ張って連結小片２６を破断して、外鍔片２７を外筒２３から切り離した状態とし、ノズルヘッド２１を押下げて内容液をポンプ１３の作用により吸い上げて、ノズル２５から注出することができる。
【００３７】
以上、本発明の実施の形態を実施例に沿って説明したが、本発明の実施の態様はこれら実施例に限定されるものではない。たとえば、本発明のバージン機構はエアゾール容器を２ケ並列状に組み合わせた２連状のエアゾール容器にも適用することができる。また、ポンプ付き容器では、さまざまな種類の手動押下げポンプや、さまざまな形状のノズルヘッドを使用することができる。
【産業上の利用可能性】
【００３８】
以上説明したように、本発明のノズルヘッド付き注出容器は、実際にノズルヘッドを押し下げて内容液を注出したかどうかを判定できるようなバージン機能を備えたものであり、エアゾール容器、あるいは押下げポンプ付き容器として幅広い用途に展開することが期待される。
【図面の簡単な説明】
【００３９】
【図１】本発明の注出容器の第１実施例を示すものであり（ａ）はノズルヘッドの平面図、（ｂ）は部分的に縦断して示す容器の正面図である。
【図２】本発明の注出容器の第２実施例を示すものであり（ａ）はノズルヘッドの平面図、（ｂ）は容器の側面図である。
【図３】本発明の注出容器の第３実施例を示すものであり（ａ）はノズルヘッドの平面図、（ｂ）は部分的に縦断して示す容器の側面図である。
【図４】エアゾール容器を使用したノズルヘッド付き注出容器の従来例を部分的に縦断して示す側面図ある。
【図５】ポンプ付き注出容器の従来例を部分的に縦断して示す側面図ある。
【符号の説明】
【００４０】
１  ；エアゾール容器
２  ；ステム
３  ；肩カバー
４  ；オーバーキャップ
５  ；開口部
１１；壜体（容器本体）
１２；口筒部
１３；ポンプ
１３ａ；ステム
１４；組付けキャップ
１５；頂部
１５ａ；開口部
１６；ガイド筒
２１；ノズルヘッド
２２：頂壁
２３；外筒
２４；内筒
２５；ノズル
２６；連結小片
２７；外鍔片
２８；摘み片
【図１】
2008137681.tif 000003
【図２】
2008137681.tif 000004
【図３】
2008137681.tif 000005
【図４】
2008137681.tif 000006
【図５】
2008137681.tif 000007